(57)【要約】【課題】庇シートを弛みなく張ることが容易な構造を実現する。【解決手段】庇シート１３の片側縁を、本体シート５のうちで、最も他側に位置するポール６ｃにより画定される面を覆う部分の上側縁に連結すると共に、庇シート１３の他側縁に設けられたスリーブ１５に庇用フレーム部材１２を挿通することで、この庇シート１３をテント本体２と庇用フレーム部材１２との間に弛みなく掛け渡す。【選択図】図１
2017053125.tif 000002
【特許請求の範囲】
【請求項１】
テント本体と、庇部とを備え、
該テント本体は、複数本のポールを組み合わせて成るフレーム構造と、該フレーム構造の内側または外側に設置され、内部空間への出入りを可能とする開口部を有する本体シートとを有しており、
前記庇部は、弓形で、前記開口部の上部に、該開口部が形成された面から外部空間側に突出する状態で支持された庇用フレーム部材と、該庇用フレーム部材と前記テント本体との間に掛け渡された庇シートとを有している
ことを特徴とするテント。
【請求項２】
前記庇部が、サイドカバーシートを更に有しており、
該サイドカバーシートは、上側縁が、前記庇シートに連結されており、水平方向片側縁が、前記本体シートに連結されており、下側縁のうちの少なくとも先端部が、設置面に対し支持されるものである、請求項１に記載のテント。
【請求項３】
前記庇用フレーム部材が、直線状に変形しようとする弾力を有する、請求項１〜２のうちの何れか１項に記載のテント。
【請求項４】
前記フレーム構造を構成するポールのうちの１本のポールが、弓形またはアーチ形で、直線状に弾性変形しようとする弾力を有しており、該１本のポールによって、前記開口部が形成された面が画定されている、請求項１〜３のうちの何れか１項に記載のテント。
【請求項５】
前記庇用フレーム部材の両端部が、前記本体シートのうち、前記開口部の上部の幅方向両側部分に支持されている、請求項４に記載のテント。
【発明の詳細な説明】
【技術分野】
【０００１】
本発明は、日除けや雨除けのための庇部を備えたテントに関する。
【背景技術】
【０００２】
キャンプサイト（野外）に設営するテントは、複数本のポールを組み合わせて成るフレーム構造の内側または外側に、シートを張ることで構成される（特許文献１など）。なお、本明細書および特許請求の範囲で言う「テント」には、日除けや雨除けのためのシェードが含まれる。
【０００３】
テントの開口部（出入り口）の上部から、ほぼ水平方向に張り出した状態で庇部を設ければ、雨天時に雨水がテント内に吹き込んだり、直射日光がテント内に差し込んだりすることを防止できる。雨除けや日除けのための庇部として、例えば、片側縁を前記テントの開口部の上部に連結した庇シートの他側縁の幅方向２箇所位置を、下端部が地面に固定された状態で上下方向に配置した１対のポールの上端部に支持する構造が考えられる。しかしながら、このような構造の場合、庇シートを弛みなく張ることが難しく、この庇シートの上面に雨水が溜まるという問題がある。また、強風の際に雨水がテント内に吹き込むという問題もある。
【先行技術文献】
【特許文献】
【０００４】
【特許文献１】特開平５−１７１８３８号公報
【発明の概要】
【発明が解決しようとする課題】
【０００５】
本発明は、上述の様な事情に鑑み、庇シートを弛みなく張ることが容易なテントの構造を実現することを目的としている。
【課題を解決するための手段】
【０００６】
本発明のテントは、テント本体と、庇部とを備える。
このうちのテント本体は、複数本のポールを組み合わせて成るフレーム構造と、該フレーム構造の内側または外側に設置された（張られた）、内部空間への出入りを可能とする開口部（出入り口）を有する本体シートとを有する。
前記庇部は、弓形で、前記開口部の上部に、該開口部が形成された面から外部空間側に突出する（張り出す）状態で支持された庇用フレーム部材と、該庇用フレーム部材と前記テント本体との間に掛け渡された庇シートとを有する。
【０００７】
前記庇部は、サイドカバーシートを更に備えることができる。このサイドカバーシートは、上側縁が、前記庇シートに連結されており、水平方向片側縁が、前記本体シートに連結されており、下側縁のうちの少なくとも先端部（水平方向他端部）が、設置面に対し支持される。
【０００８】
前記庇用フレームは、直線状に変形しようとする弾力を有することが好ましい。
【０００９】
前記フレーム構造を構成するポールのうちの１本のポールを、弓形で、直線状に弾性変形しようとする弾力を有するものとすることができる。この１本のポールにより、前記開口部が形成された面を画定する。
この場合、前記庇用フレーム部材の両端部を、前記本体シートのうち、前記開口部の上部の幅方向両側部分に支持することが好ましい。
【発明の効果】
【００１０】
上述のような本発明のテントは、開口部の上部に、該開口部が形成された面から外部空間側に突出する状態で設けられた庇用フレーム部材と、テント本体との間に庇シートを掛け渡すことにより、雨除けや日除けのための庇部を設けている。したがって、庇シートを弛みなく張り易くできて、該庇シートの上面に雨水が溜まり難くすることができる。
【図面の簡単な説明】
【００１１】
【図１】図１は、本発明の実施の形態の１例を示す、テントの斜視図である。
【図２】図２は、図１と反対方向から見た状態を示す斜視図である。
【図３】図３は、図１に示したテントの正面図である。
【図４】図４は、図１に示したテントの側面図である。
【図５】図５は、図１に示したテントの要部拡大斜視図である。
【発明を実施するための形態】
【００１２】
図１〜図５は、本発明の実施の形態の１例を示している。本例のテント１は、いわゆるトンネル形で、テント本体２と、庇部３とを備える。このうちのテント本体２は、フレーム構造４と、本体シート５とを有する。フレーム構造４は、弓形の複数本（図示の例では４本）のポール６ａ〜６ｃを、互いに間隔を空けた状態で配置することで構成されている。これらのポール６ａ〜６ｃはそれぞれ、アルミニウム合金若しくはマグネシウム合金などの軽合金、炭素鋼などの金属材料製、または炭素繊維などの強化繊維を混入した合成樹脂製の複数本の直線状のポール素子を軸方向に連結し、弓形に湾曲（弾性変形）させた状態で、両端部を設置面（地面）に対し支持固定して成る。すなわち、ポール６ａ〜６ｃは、フレーム構造４を構成した（弓形に湾曲した）状態で、直線状に変形しようとする弾力を有する。なお、本例の場合、複数本のポール６ａ〜６ｃのうち、最も片側（図４の右側）に位置するポール６ａの高さを、残りのポール６ｂ、６ｃの高さよりも低くしている。ただし、すべてのポール６ａ〜６ｃの高さを同じにすることもできる。
【００１３】
本体シート５は、表面に撥水加工が施されたポリエステルやポリアミドなどの合成樹脂製で、この本体シート５の外面のうち、長さ方向（図１、図２および図４の左右方向）の複数箇所（図示の例では４箇所位置）に設けられたスリーブ７にポール６ａ〜６ｃを挿通することで、フレーム構造４の内側に設置されている。本体シート５のうち、ポール６ａ〜６ｃのうちの最も他側（図４の左側）に位置するポール６ｃにより画定される面（テント本体２の端面）を覆う部分に、内部空間への出入りを可能とする開口部（出入り口）８を設け、この開口部８をカバー部９により覆っている。カバー部９は、ファスナー１０により開閉可能となっている。なお、本例の場合、本体シート５のうち、フレーム構造４の側面を覆う部分に、窓部１１ａ、１１ｂを設け、これらの窓部１１ａ、１１ｂのうちの片側の窓部１１ａからも人の出入りが可能となっている。ただし、このような窓部１１ａ、１１ｂを省略することもできる。また、フレーム構造４により周囲を囲まれた空間の底面の全部または一部を、本体シート５の一部により覆っている。
【００１４】
庇部３は、庇用フレーム部材１２と、庇シート１３と、１対のサイドカバーシート１６とを有する。このうちの庇用フレーム１２は、弓形で、ポール６ａ〜６ｃのうちの最も他側に位置するポール６ｃにより画定される面のうち、開口部８の上部に、このポール６ｃにより画定される面から外部空間側に突出する状態で設けられている。具体的には、本体シート５のうちで、このポール６ｃにより画定される面を覆う部分の開口部８の上部の幅方向両側部分（幅方向に離隔した２箇所位置）に設けられた１対の支持孔１４に、庇用フレーム部材１２の両端部を挿通することにより、この庇用フレーム部材１２を水平方向（庇部３が、雨除けや日除けとしての機能を発揮できる限り、水平方向に対し傾斜した方向を含む）に設置している。このような庇用フレーム部材１２は、アルミニウム合金若しくはマグネシウム合金などの軽合金、炭素鋼などの金属材料製、または、炭素繊維などの強化繊維を混入した合成樹脂製の１本の直線状のポール、または、複数本の直線状のポール素子を軸方向に連結し、弓形に湾曲させた状態で、両端部を１対の支持孔１４に挿通することでテント本体２に支持されている。すなわち、庇用フレーム部材１２は、テント本体２に支持された状態で、直線状に変形しようとする弾力を有している。
【００１５】
庇シート１３は、表面に撥水加工が施されたポリエステルやポリアミドなどの合成樹脂製で、テント本体２と庇用フレーム部材１２との間に掛け渡す状態で設けられている。具体的には、庇シート１３の片側縁を、本体シート５のうちで、最も他側に位置するポール６ｃにより画定される面を覆う部分の上側縁（このポール６ｃを挿通したスリーブ７のうち幅方向に関して１対の支持孔１４同士の間部分）に縫合などにより連結すると共に、庇シート１３の他側縁に設けられたスリーブ１５に庇用フレーム部材１２を挿通することで、この庇シート１３をテント本体２と庇用フレーム部材１２との間に弛みなく掛け渡している。
【００１６】
１対のサイドカバーシート１６は、表面に撥水加工が施されたポリエステルやポリアミドなどの合成樹脂製で、上側縁を、庇シート１３の他側縁（スリーブ１５）の幅方向両側２箇所位置に縫合などにより連結すると共に、片側縁（図４の右側縁）を、本体シート５のうえで、最も他側に位置するポール６ｃにより画定される面を覆う部分の幅方向両側縁に縫合などにより連結されている。そして、サイドカバーシート１６の下側縁の先端部（他端部）に結合したガイロープをペグなどにより設置面に支持固定している。
【００１７】
上述のような本例のテント１は、開口部８の上部に、ポール６ｃにより画定される面から外部空間側に突出する状態で設けられた庇用フレーム部材１２と、テント本体２との間に庇シート１３を掛け渡すことにより、庇部３を設けている。このため、庇シート１３を弛みなく張り易くできて、該庇シート１３の上面に雨水が溜まり難くすることができる。特に本例の場合、庇シート１３の片側縁を、直線状に変形しようとする弾力を有するポール６ｃを挿通したスリーブ７に連結すると共に、庇シート１３の他側縁に設けられたスリーブ１５に、直線状に変形しようとする弾力を有する庇用フレーム１２を挿通している。また、庇シート１３の他側縁は、該庇用フレーム１２の重さ（自重）により下方に向けて引っ張られている。したがって、庇シート１３をより弛み難くすることができる。
【００１８】
また、本例の場合、１対のサイドカバーシート１６を、庇シート１３の幅方向両側２箇所位置から垂れ下がるようにして設けているため、強風の際にも、雨水がテント内に吹き込み難くできる。
【００１９】
なお、本発明は、図示の例のようなトンネル形に限らず、いわゆるティーピーテントや、ドーム形のテント、日除けのためのサンシェードなどに適用することもできる。
【符号の説明】
【００２０】
１  テント
２  テント本体
３  庇部
４  フレーム構造
５  本体シート
６ａ〜６ｃ  ポール
７  スリーブ
８  開口部
９  カバー部
１０  ファスナー
１１ａ、１１ｂ  窓部
１２  庇用フレーム部材
１３  庇シート
１４  支持孔
１５  スリーブ
１６  サイドカバーシート
【図１】
2017053125.tif 000003
【図２】
2017053125.tif 000004
【図３】
2017053125.tif 000005
【図４】
2017053125.tif 000006
【図５】
2017053125.tif 000007